(57)【要約】【課題】ＡＴＭネットワークとＩＰネットワークとの間の相互接続装置を提供する。【解決手段】ゲートウェイ装置は、第１のタイプの信号方式を用いる第１のネットワークと、第２のタイプの信号方式を用いる第２のネットワークとの間に設けられ、第１及び第２のネットワークの間で信号方式を翻訳するインターフェースとして動作する。インターフェースはさらに、第１及び第２のネットワークの間で信号方式を翻訳するための制御プレーンと、第１のタイプの信号方式から第２のタイプの信号方式へとユーザデータを変換するユーザプレーンとを含む。制御プレーンは、第１及び第２のネットワークの間でサービスをマッピングし、このサービスを第１及び第２のネットワークの間で転送する。インターフェースは、少なくとも１つのインターフェースモジュールと多重化モジュールを含む。【選択図】図５
2010273370.tif 000002
【特許請求の範囲】
【請求項１】
第１のタイプの信号方式を用いる第１のネットワークと第２のタイプの信号方式を用いる第２のネットワークとの間に設けられ、上記第１のネットワーク及び上記第２のネットワークの間において信号方式を翻訳するインターフェースであって、
上記第１のネットワーク及び上記第２のネットワークの間で信号方式を翻訳する制御プレーンと、上記第１のタイプの信号方式から上記第２のタイプの信号方式へとユーザデータを変換するユーザプレーンとをさらに備えたインターフェース。
【請求項２】
上記第１のネットワークはＡＴＭネットワークである請求項１記載のインターフェース。
【請求項３】
上記第２のネットワークはＩＰネットワークである請求項２記載のインターフェース。
【請求項４】
上記第１のネットワークはＡＡＬ２信号方式を使用する請求項３記載のインターフェース。
【請求項５】
上記第１のタイプはＡＡＬ２パケットであり、上記第２のタイプはＩＰパケットである請求項１記載のインターフェース。
【請求項６】
上記第１のタイプはＩＰパケットであり、上記第２のタイプはＩＰパケットである請求項１記載のインターフェース。
【請求項７】
上記第１のタイプの信号方式から上記第２のタイプの信号方式へとユーザデータを変換するユーザプレーンをさらに備えた請求項１記載のインターフェース。
【請求項８】
上記第１のタイプはＡＡＬ２パケットであり、上記第２のタイプはＩＰパケットである請求項７記載のインターフェース。
【請求項９】
上記第１のタイプはＩＰパケットであり、上記第２のタイプはＩＰパケットである請求項７記載のインターフェース。
【請求項１０】
上記第１のネットワーク及び上記第２のネットワークの間でサービスをマッピングして、上記第１のネットワーク及び上記第２のネットワークの間で上記サービスを転送する制御プレーンを備えた請求項１記載のインターフェース。
【請求項１１】
上記第１のタイプのペイロードを上記第２のタイプのペイロードに変換するユーザプレーンを備えた請求項１０記載のインターフェース。
【請求項１２】
少なくとも１つのインターフェースモジュールと少なくとも１つの多重化モジュールとを備えた請求項１１記載のインターフェース。
【請求項１３】
上記インターフェースモジュールは、上記第１のネットワークへの接続を提供する第１のタイプのインターフェースモジュールと、上記第２のネットワークへの接続を提供する第２のタイプのインターフェースモジュールとを備えた請求項１２記載のインターフェース。
【請求項１４】
上記多重化モジュールは、上記第１のタイプの信号方式のパケットの多重化及び多重分離を行う第１のタイプの多重化モジュールと、上記第２のタイプの信号方式のパケットの多重化及び多重分離を行う第２のタイプの多重化モジュールとを備えた請求項１３記載のインターフェース。
【請求項１５】
上記多重化モジュールは、上記第１のタイプの信号方式のパケットの多重化及び多重分離を行う第１のタイプの多重化モジュールと、上記第２のタイプの信号方式のパケットの多重化及び多重分離を行う第２のタイプの多重化モジュールとを備えた請求項１２記載のインターフェース。
【請求項１６】
少なくとも１つのインターフェースモジュールと少なくとも１つの多重化モジュールとを備えた請求項１記載のインターフェース。
【請求項１７】
上記インターフェースモジュールは、上記第１のネットワークへの接続を提供する第１のタイプのインターフェースモジュールと、上記第２のネットワークへの接続を提供する第２のタイプのインターフェースモジュールとを備えた請求項１６記載のインターフェース。
【請求項１８】
上記多重化モジュールは、上記第１のタイプの信号方式のパケットの多重化及び多重分離を行う第１のタイプの多重化モジュールと、上記第２のタイプの信号方式のパケットの多重化及び多重分離を行う第２のタイプの多重化モジュールとを備えた請求項１７記載のインターフェース。
【請求項１９】
上記多重化モジュールは、上記第１のタイプの信号方式のパケットの多重化及び多重分離を行う第１のタイプの多重化モジュールと、上記第２のタイプの信号方式のパケットの多重化及び多重分離を行う第２のタイプの多重化モジュールとを備えた請求項１６記載のインターフェース。
【請求項２０】
第１のネットワーク及び第２のネットワークの間でインターフェースをとる方法であって、
第１のネットワークにおいて第１のタイプの信号方式を使用することと、
第２のネットワークにおいて第２のタイプの信号方式を使用することと、
上記第１のネットワーク及び上記第２のネットワークの間で制御信号を翻訳することと、
上記第１のタイプの信号方式から上記第２のタイプの信号方式へとユーザデータを変換することとを含む方法。
【請求項２１】
上記第１のネットワークはＡＴＭネットワークである請求項２０記載の方法。
【請求項２２】
上記第２のネットワークはＩＰネットワークである請求項２１記載の方法。
【請求項２３】
上記第１のネットワークにおける第１のタイプの信号方式はＡＡＬ２信号方式を含む請求項２２記載の方法。
【請求項２４】
上記第１のタイプはＡＡＬ２パケットであり、上記第２のタイプはＩＰパケットである請求項２０記載の方法。
【請求項２５】
上記第１のタイプはＩＰパケットであり、上記第２のタイプはＩＰパケットである請求項２０記載の方法。
【請求項２６】
上記翻訳は、上記第１のタイプの信号方式から上記第２のタイプの信号方式へとユーザデータを変換することを含む請求項２０記載の方法。
【請求項２７】
上記第１のタイプはＡＡＬ２パケットであり、上記第２のタイプはＩＰパケットである請求項２６記載の方法。
【請求項２８】
上記第１のタイプはＩＰパケットであり、上記第２のタイプはＩＰパケットである請求項２６記載の方法。
【請求項２９】
上記翻訳は、
上記第１のネットワーク及び上記第２のネットワークの間でサービスをマッピングすることと、
上記第１のネットワーク及び上記第２のネットワークの間で上記サービスを転送することとをさらに含む請求項２０記載の方法。
【請求項３０】
上記翻訳は、上記第１のタイプのペイロードを上記第２のタイプのペイロードに変換することをさらに含む請求項２９記載の方法。
【請求項３１】
上記翻訳は、上記第１のネットワーク及び上記第２のネットワークへの接続を提供することをさらに含む請求項３０記載の方法。
【請求項３２】
上記翻訳は、上記第１のタイプの信号方式のパケットの多重化及び多重分離を行うことと、上記第２のタイプの信号方式のパケットの多重化及び多重分離を行うこととをさらに含む請求項３１記載の方法。
【請求項３３】
上記翻訳は、上記第１のネットワーク及び上記第２のネットワークへの接続を提供することをさらに含む請求項２０記載の方法。
【請求項３４】
上記翻訳は、上記第１のタイプの信号方式のパケットの多重化及び多重分離を行うことと、上記第２のタイプの信号方式のパケットの多重化及び多重分離を行うこととをさらに含む請求項３３記載の方法。
【請求項３５】
上記翻訳は、上記第１のタイプの信号方式のパケットの多重化及び多重分離を行うことと、上記第２のタイプの信号方式のパケットの多重化及び多重分離を行うこととをさらに含む請求項２０記載の方法。
【請求項３６】
第１のタイプのネットワークと第２のタイプのネットワークとの間でメッセージ伝送を行う方法であって、
上記第１のタイプのネットワークと上記第２のタイプのネットワークとの間における相互接続装置を用いた接続をセットアップすることと、
上記第１のタイプのネットワークと上記第２のタイプのネットワークとの間における相互接続装置を用いた接続を解放することとを含む方法。
【請求項３７】
上記接続をセットアップすることは、
上記第１のタイプのネットワークから上記相互接続装置へセットアップメッセージを送信することと、
上記セットアップメッセージを上記第２のタイプのネットワークの信号方式に変換することと、
上記変換したセットアップメッセージを上記第２のタイプのネットワークへ送信することと、
上記第２のタイプのネットワークから上記相互接続装置に接続メッセージを送信することと、
上記接続メッセージを上記第２のタイプのネットワークの信号方式に変換することと、
上記変換した接続メッセージを上記第２のタイプのネットワークへ送信することとをさらに含む請求項３６記載の方法。
【請求項３８】
上記接続を解放することは、
上記第１のタイプのネットワークから上記相互接続装置へ解放メッセージを送信することと、
上記解放メッセージを上記第２のタイプのネットワークの信号方式に変換することと、
上記第２のタイプのネットワークから上記相互接続装置に解放ＣＭＰメッセージを送信することと、
上記解放ＣＭＰメッセージを上記第１のタイプのネットワークの信号方式に変換することと、
上記変換した解放ＣＭＰメッセージを上記第１のタイプのネットワークへ送信することとをさらに含む請求項３７記載の方法。
【請求項３９】
上記接続を解放することは、
上記第１のタイプのネットワークから上記相互接続装置へ解放メッセージを送信することと、
上記解放メッセージを上記第２のタイプのネットワークの信号方式に変換することと、
上記第２のタイプのネットワークから上記相互接続装置に解放ＣＭＰメッセージを送信することと、
上記解放ＣＭＰメッセージを上記第１のタイプのネットワークの信号方式に変換することと、
上記変換した解放ＣＭＰメッセージを上記第１のタイプのネットワークへ送信することとをさらに含む請求項３６記載の方法。
【請求項４０】
上記第１のネットワークはＡＴＭネットワークである請求項３６記載の方法。
【請求項４１】
上記第２のネットワークはＩＰネットワークである請求項４０記載の方法。
【請求項４２】
上記第１のネットワークにおける第１のタイプの信号方式はＡＡＬ２信号方式を含む請求項４１記載の方法。
【発明の詳細な説明】
【技術分野】
【０００１】
本発明は、概して電気通信に関し、詳述すれば、ＡＴＭネットワークとＩＰネットワークとの間での相互接続装置を提供する方法及び装置に関する。
【背景技術】
【０００２】
現今の無線システムは、小規模かつ高頻度のデータ呼やバーストＩＰトラフィックを処理するには非効率であり、そのために高速データサービスを実装することが求められている。既存の回線交換接続では、データユーザの数が増えるに伴って、より多くの時間スロットが必要になってくる。また、大量のバーストトラフィックをサポートするために必要なネットワーク及び無線容量のために、実装することが不経済的又は不可能になる。
【０００３】
第３世代移動電話ネットワークは、現在の第２世代デジタル移動体システムから発展したものである。ＧＳＭ等の人気のある第２世代電話は音声通信に最適化されているのに対し、第３世代のスマート電話や通信装置では、音声、画像、動画、及び各種情報コンテンツを含むディジタル情報の組み合わせを送受信できるようになるであろう。このような技術は、ユーザに対してパーソナル、モバイル、マルチメディア通信サービスをもたらすことになる。
【０００４】
このような進んだサービスを提供する際には、特にＩＰトラフィックである大量のデータトラフィックが生じるものと予想される。大量トラフィックに対する需要を満たすには、トランスポートプロトコルを選択する際に考慮しなければならない多数の要素がある。例えば、帯域幅効率、サービス品質（ＱｏＳ）、音声遅延感度、標準安定性（standardization stability）、及び許容される最大同時ユーザ数などを考慮しなければならない。現在、商業的に使われているプロトコルはＡＴＭスイッチとＩＰスイッチとの２つだけである。
【０００５】
新しいＡＴＭアダプテーションレイヤー２（ＡＡＬ２）標準が、国際電気通信連合電気通信標準化部門（ＩＴＵ−Ｔ）の標準となっていて、圧縮音声のトランスポートのためのＡＴＭにおける多重化方式を定めている。従って、ＡＡＬ２及びＡＴＭを用いて、次世代（３Ｇ又はＴＧＮ）のセルラーアクセスネットワークシステムを実装してもよい。ＡＡＬ２ベースのＲＡＮでは、ＢＳからＲＮＣ、及びＲＮＣからＭＳＣへのＡＡＬ２接続をセットアップするためにＡＡＬ２信号方式が使用される。ＩＴＵ−Ｔは現在、ＡＡＬ２信号方式プロトコルの仕様策定に関わっており、まもなく完成の予定である。移動体端末からＢＳが受信した音声信号は、ＡＡＬ２パケットとして変換された後に、ＡＴＭネットワークにおいてトランスポートされる。音声パケットは比較的小さいので（平均して１０バイト程度）、帯域幅効率を最大化するために、他の１つ以上のＡＴＭセルにおけるユーザからのパケットと多重化される。セルラーネットワークにおけるデータアプリケーションの増加に起因して、音声、データ、及び動画をサポートできる効率的なトランスポートアプリケーションが必要になっている。現時点において、統合された音声、データ及び動画のユーザに対してＱｏＳを保証できる技術はＡＴＭだけである。セルラーネットワークにおけるＱｏＳについての厳しい要件により、多くのネットワーク機器ベンダーがＡＡＬ２ベースのＲＡＮを実装している。
【０００６】
一方、ＩＰベースのアプリケーションの急速な増加によって、ＩＰベースのセルラーアクセスネットワークが促進されている。第３世代セルラーネットワークシステムにおける無線アクセスネットワーク（ＲＡＮ）での移動体テレフォニーをトランスポートするＡＡＬ２に代わるものとして、ＩＰテレフォニーゲートウェイ間のリアルタイムプロトコル（ＲＴＰ）ペイロードにおけるユーザ多重化と呼ばれる、ＩＰにおける新しい多重化法が現れた。この新しい方法は、「User Multiplexing in RTP Payload Between IP Telephony Gateways」と題するインターネットドラフトに開示され、以後、これをＲＴＰ多重化又はＲＴＰ  ｍｕｘと呼ぶ。この方法では、あるパケットに関連付けられたユーザを識別する２バイトミニヘッダを用いて、複数の音声パケットを多重化するようになっている。このミニヘッダにより、複数の異なるユーザからのパケットを１つのＲＴＰペイロードに組み込むことができ、それによりＲＴＰ／ＵＤＰ／ＩＰヘッダのオーバーヘッドを削減することができる。
【０００７】
ＩＰベースのセルラーアクセスネットワークが期待されるもう１つの理由として、ＩＰにおいてＱｏＳを統合しようとしていることが挙げられる。ＩＰネットワークにおいてＱｏＳを統合する方法についてはいくつかの提案がなされていて、ＩＥＴＦ（Internet Engineering Task Force）と産業界のフォーラムで議論されている。Ｄｉｆｆ−ｓｅｒｖ及びＭＰＬＳ等の提案は、ＩＰネットワークにおいてＱｏＳの提供を統合するように適合されている。ＩＰベースのアプリケーションが近い将来に移動体ネットワークにおいて支配的になるであろうこと、及びデータトラフィックが音声トラフィックよりも増大するであろうことを考慮すると、ＩＰベースのセルラーアクセスネットワークが近い将来に実現すると考えられる。
【０００８】
さらに、ＩＰテレフォニーは、従来の電気通信キャリアの対抗馬として出現したものであり、長距離電話呼のための費用効果の高いソリューションをもたらすものである。Ｈ．２２５及びＨ．２４５を含むＨ．３２３標準のファミリーによって、イントラネットにおけるＩＰテレフォニーゲートウェイの広範な普及が促進されている。ＩＰテレフォニーアプリケーションでは、ＩＥＴＦ標準であるセッション開始プロトコル（ＳＩＰ）も使用されている。これらの標準により、ＳＳ７（System Signaling 7）ベースのネットワークからの呼要求が、ＩＰネットワークにおいてＩＰテレフォニーゲートウェイ間で伝送できるようになる。
【０００９】
従って、ＩＰネットワークにおけるＱｏＳの統合により、リアルタイムアプリケーションは、インターネットのベストエフォートデータでトランスポート媒体を共有することができるようになる。ＩＰは種々のサイズのパケットを伝送するための当然の選択肢であり、ごく少数の割合のトラフィックのみがリアルタイム保証を必要としているので、ＩＰベースのトランスポートがネットワーク通信事業者の選ぶプロトコルになるということが容易にわかる。
【発明の概要】
【発明が解決しようとする課題】
【００１０】
しかし、ＡＡＬ２プロトコルとＩＰプロトコルとの両方には、利点もあれば、問題点もある。ＩＰスイッチ及びルーターは何処にでもあるもので、その帯域幅効率のために好ましいソリューションである。それにもかかわらず、新しいＡＴＭアダプテーションレイヤー２（ＡＡＬ２）標準は、現在、遅延に敏感な音声及びパケットデータサービスのためにＡＴＭスイッチが最適化されることを意味している。さらに、インフラストラクチャのベンダーが使用可能なソリューションであれば何でも促進するので、問題がますます複雑になっている。従って、将来の無線アクセスネットワーク（ＲＡＮ）やコアネットワーク（ＣＮ）は、ＡＴＭとＩＰの何れか、又は両方に基づく可能性がある。しかも、ＡＴＭネットワークとＩＰネットワークとでは信号方式が異なっているので、これら２つのネットワークを相互接続することはできない。
【００１１】
従って、ＡＴＭ（ＡＡＬ２）ベースのアクセス／コアネットワークをＩＰベースの（ＲＴＰ  ｍｕｘ）アクセス／コアネットワークに相互接続するゲートウェイ装置に対する必要性が存在することがわかる。
【課題を解決するための手段】
【００１２】
前述した従来技術の制約を解消するとともに、本願明細書を呼んで理解することで明らかになる他の制約を解消するために、本発明は、ＡＴＭネットワークとＩＰネットワークとの間の相互接続装置を提供する方法及び装置を開示する。
【００１３】
本発明は、ＡＴＭ（ＡＡＬ２）ベースのアクセス／コアネットワークをＩＰベースの（ＲＴＰ  ｍｕｘ）ネットワークに相互接続するゲートウェイ装置を提供することで前述の諸問題点を解消する。
【００１４】
本発明の原理に係るシステムは、第１のタイプの信号方式を用いる第１のネットワークと、第２のタイプの信号方式を用いる第２のネットワークの間に設けられたインターフェースを含み、このインターフェースが、第１のネットワークと第２のネットワークとの間で信号方式を翻訳する。
【００１５】
本発明の原理に係るシステムの他の実施形態は、代替の態様又はオプションの追加態様を含んでもよい。本発明のそのような態様のうちの１つでは、第１のネットワークはＡＴＭネットワークである。
【００１６】
本発明の他の態様では、第２のネットワークはＩＰネットワークである。
【００１７】
本発明の他の態様では、第１のネットワークはＡＡＬ２信号方式を用いる。
【００１８】
本発明の他の態様では、上記インターフェースはさらに、第１及び第２のネットワークの間で信号方式を翻訳するための制御プレーン（control plane）を含む。
【００１９】
本発明の他の態様では、上記インターフェースはさらに、第１のタイプの信号方式から第２のタイプの信号方式へとユーザデータを変換するユーザプレーンを含む。
【００２０】
本発明の他の態様では、上記制御プレーンは、第１のネットワークと第２のネットワークとの間でサービスをマッピングし、このサービスを第１のネットワークと第２のネットワークとの間で転送する。
【００２１】
本発明の他の態様では、上記インターフェースは、少なくとも１つのインターフェースモジュールと多重化モジュールを含む。
【００２２】
本発明の他の態様では、上記インターフェースモジュールは、第１のネットワークへの接続を提供する第１のタイプのインターフェースモジュールと、第２のネットワークへの接続を提供する第２のタイプのインターフェースモジュールとを含む。
【００２３】
本発明の他の態様では、多重化モジュールは、第１のタイプの信号方式のパケットの多重化及び多重分離を行う第１のタイプの多重化モジュールと、第２のタイプの信号方式のパケットの多重化及び多重分離を行う第２のタイプの多重化モジュールとを含む。
【００２４】
本発明の他の実施形態は、第１のネットワークと第２のネットワークとの間でインターフェースをとる方法を含み、上記方法は、第１のネットワークにおいて第１のタイプの信号方式を使用し、第２のネットワークにおいて第２のタイプの信号方式を使用し、第１のネットワークと第２のネットワークとの間で信号方式を翻訳することを含む。
【００２５】
本発明の他の実施形態は、第１のタイプのネットワークと第２のタイプのネットワークとの間でのメッセージ伝送を行う方法を含み、上記方法は、相互接続装置を用いた第１のタイプのネットワークと第２のタイプのネットワークとの間の接続をセットアップし、相互接続装置を用いた第１のタイプのネットワークと第２のタイプのネットワークとの間の接続を解放することを含む。
【００２６】
本発明を特徴付ける上記又は他の利点や新規な技術的特徴については、特許請求の範囲において詳細に述べる。しかし、本発明と、その利点と、それを用いて達成される目的とをよりよく理解するために、本発明に係る装置の特定の実施例を示す図面及び実施形態の説明を参照する。
【図面の簡単な説明】
【００２７】
【図１】ＩＰベースのセルラーネットワークに接続されたＡＴＭベースのセルラーネットワークを示す図である。。
【図２】ＩＰテレフォニー標準に基づくＩＰベースのネットワークに接続された、ＲＡＮ及びＣＮを含むＡＴＭベースのセルラーネットワークを示す図である。。
【図３】ＩＰベースのＣＮに接続されたＡＴＭベースのＲＡＮを示す図である。。
【図４】本発明に係る相互接続装置のための層状モデルを示す図である。。
【図５】本発明に係るゲートウェイの機能を示す図である。。
【図６】本発明に係るゲートウェイモジュールを示す図である。。
【図７】相互接続装置における制御プレーンメッセージシーケンスを示すメッセージシーケンス図を示す。
【発明を実施するための形態】
【００２８】
図面全体を通じて、同じ参照番号は対応する部分を示す。
【００２９】
以下の例示的な実施形態の説明では、添付の図面が参照され、ここでは、本発明を実施可能な特定の実施形態を例示的に示す。本発明の範囲を離れることなく構造を変化させることで、他の実施形態を実施してもよいということが理解されるであろう。
【００３０】
本発明は、ＡＴＭネットワークとＩＰネットワークとの間でインターフェースをとる方法及び装置を提供するものである。移動体テレフォニーをトランスポートするために、ＩＰベースのネットワークとＡＡＬ２（ＡＴＭ）ベースのネットワークとの間に相互接続装置（interworking unit：ＩＷＵ）を設けている。この相互接続装置又はゲートウェイにより、ＡＡＬ２（ＡＴＭ）とＲＴＰ多重化されたＩＰとの間で接続されたユーザが、何ら問題なく相互接続できるようになる。ゲートウェイ装置は、ネットワーク境界において、２つの異なった（ＩＰとＡＡＬ２）トランスポート技術の間で必要な制御及びユーザプレーンプロトコル変換を行う。従って、本発明により、ＡＡＬ２（ＡＴＭ）ベースのアクセス／コアネットワークからＩＰベースのアクセス／コアネットワークへの滑らかな遷移が可能になり、あるタイプの製品が、配備されうる他のタイプの製品と相互接続することを容易化する。
【００３１】
例えば、将来の無線アクセスネットワーク（ＲＡＮ）及びコアネットワーク（ＣＮ）は、ＡＴＭとＩＰとの何れか、又は両方に基づく可能性がある。ＡＴＭベースのネットワークでは、圧縮音声を伝送するためにＡＡＬ２が使用されるが、ＩＰベースのネットワークでは同じ目的のためにＲＴＰ多重化方法が使用される。今後しばらくの間、これら両方のタイプのネットワークが共存する可能性が高い。このようなシナリオの下では、（ＲＴＰ  ｍｕｘを用いて）ＩＰネットワークから発した電話呼は、ＡＡＬ２ベースのネットワークを介して伝送され、あるいはその逆に伝送される必要がある。多くのシナリオにおいて、２種の競合するトランスポート技術が互いに滑らかに相互接続するために斯かるＩＷＵを必要とする。
【００３２】
図１は、ＩＰベースのセルラーネットワーク１２０に接続されたＡＴＭベースのセルラーネットワーク１１０を示す。図１において、第１の移動体ユーザ１３０は、ＡＴＭベースのセルラーネットワーク１１０を使用している。第２の移動体ユーザ１３２は、ＩＰベースのセルラーネットワーク１２０を使用している。ＡＴＭベースのネットワーク１１０とＩＰベースのネットワーク１２０との両方が、ＲＡＮ１４０／１４２及びＣＮ１５０／１５２を含む。第２のユーザ１３２のネットワーク１２０は第１のユーザ１３０のネットワーク１１０とは異なったトランスポート技術に基づくので、第１の移動体ユーザ１３０が第２の移動体ユーザ１３２と接続できるようにするために、２つのセルラー通信事業者の間の通信境界にＩＷＦ１６０を設ける必要がある。
【００３３】
図２は、ＩＰテレフォニー標準に基づくＩＰベースのネットワーク２７０へのアクセスを提供するインターネットサービスプロバイダ２２０に接続された、ＲＡＮ２４０とＣＮ２５０との両方を含むＡＴＭベースのセルラーネットワーク２１０を示す。このシナリオは、ＩＰネットワーク２７０におけるＩＰテレフォニーの広範囲にわたる展開に起因して非常に重要である。この場合でもまた、ＡＴＭベースのネットワーク２１０から発した移動電話呼に関するメッセージをＩＰベースのネットワーク２７０の要件に適合するように適切に変換するために、ネットワーク境界にＩＷＵ２６０を設ける必要がある。
【００３４】
図３は、ＩＰベースのＣＮ３２０に接続されたＡＴＭベースのＲＡＮ３１０を示す。ＩＰベースのＣＮ３２０は、ＲＴＰ  ｍｕｘ及びＨ．３２３信号方式３２２を使用する。このシナリオは、移動体ネットワークにＩＰが入り込むという予想を表しているので重要である。ＲＡＮ３４０は無線リソースを制御するので、ＱｏＳ保証のあるＡＴＭは、ＲＡＮ３４０にとっては理想的なソリューションとみなされる。しかし、ＩＰネットワークへの相互接続が増大しているので、ＣＮ３５０ではＩＰはオプションとみなされる。この場合でもまた、ＡＴＭベースのネットワーク３１０から発した移動電話呼に関するメッセージをＩＰベースのネットワーク３７０の要件に適合するように適切に変換するために、ネットワーク境界にＩＷＵ３６０を設ける必要がある。
【００３５】
図１から図３に示したシナリオによれば、あるタイプのネットワークから受信した制御メッセージ及びユーザデータを他のネットワーク用に変換し、あるいはその逆に変換するために、ゲートウェイ装置が必要であることがわかる。このゲートウェイ装置は、制御プレーン（信号方式）とユーザプレーン（データ）との両方に係る相互接続機能をサポートするために必要である。
【００３６】
図４は、本発明に係る相互接続装置４１０のための層状モデル４００を示す。相互接続に関する問題点を解消するために、ゲートウェイ４１０は、ＡＴＭ（ＡＡＬ２）ベースのネットワーク４２０とＩＰベースのネットワーク４３０との間で制御情報及びユーザプレーン情報の両方を転送することができる。相互接続装置４１０は、ＡＴＭネットワーク４２０から受信した制御メッセージとユーザデータとをＩＰネットワーク４３０用に変換し、あるいはＩＰネットワーク４３０からＡＴＭネットワーク４２０に変換する。なお、ＡＴＭネットワークではＡＡＬ２信号方式４５０が使用され、ＩＰネットワーク４３０ではＲＴＰ多重化４５２が使用されている。
【００３７】
図５は、本発明に係るゲートウェイの機能５００を示す。このゲートウェイ装置の２つの主な機能は、ユーザプレーン５１０及び制御プレーン５２０において相互接続していることにある。制御プレーン相互接続機能５２０では、ゲートウェイ装置５００は、ＡＡＬ２信号方式メッセージ５３０をＨ．３２３又はＳＩＰメッセージ５３２へ変換し、あるいはその逆に変換するようになっている。あるタイプの信号方式メッセージを他のタイプに翻訳するには、２つの異なった制御プレーンにわたる知識サービスマッピング（knowledge service mapping）が必要である。例えば、一方のネットワークからの呼待機を示す情報は、受信側ネットワークが理解しうる適当な呼待機メッセージに変換される必要がある。ゲートウェイ装置５００は、これらのサービスをマッピングして、２つの異なった信号方式プレーンの間において任意のトランスペアレントなサービスを転送するようになっている。
【００３８】
ユーザプレーン相互接続機能５１０では、ゲートウェイ装置５００は、ユーザデータをあるペイロードフォーマットから他のペイロードフォーマットに変換するようになっている。例えば、ＡＴＭネットワークでは、音声フレームは、ＡＴＭセル５４０内にパックされたＡＡＬ２パケットの形式を有し、一方、ＩＰネットワークでは、音声フレームはＲＴＰパケット５４０内にパックされている。ＩＷＵ装置５００は、ペイロードを受信した後に、音声フレームを他のフォーマットに変換しなければならない。ユーザプレーン相互接続機能５１０は、制御プレーン相互接続機能に比べるとずっと簡単である。例えば、ＡＴＭセル内にカプセル化された音声パケットは簡単に取り出され、ＲＴＰ多重化方法によりＲＴＰペイロードに簡単に組み込まれる。
【００３９】
図６は、本発明に係るゲートウェイのためのモジュール６００を示す。図６においては、ゲートウェイ装置６００は、ＡＡＬ２方式とＲＴＰ多重化方式との間で滑らかに相互接続するための複数のモジュールを含む。これらのモジュールには、少なくとも１つのＩＰインターフェース６１０と、少なくとも１つのＡＴＭインターフェース６２０と、少なくとも１つのＲＴＰ多重化及び多重分離モジュール６３０と、少なくとも１つのＡＡＬ２多重化及び多重分離モジュール６４０と、制御装置６５０と、ユーザプレーン装置６６０とが含まれている。図６に示すように、ＩＰインターフェースモジュール６１０及びＡＴＭインターフェースモジュール６２０は、他のネットワーク構成要素へ接続することができ、ＡＡＬ２モジュール６４０及びＲＴＰモジュール６３０は、多重化機能及び多重分離機能の両方に関与する。制御モジュール６５０は、制御プレーン情報を一方から他方に転送するようになっている。制御装置６５０のもう１つの機能は、２つの異なったインターフェース６７０にわたってマッピングするユーザを追跡することである。
【００４０】
図７は、相互接続装置７１０における制御プレーンメッセージシーケンスを示すメッセージシーケンス図７００を示す。まず、セットアップメッセージ７２０がＡＴＭネットワーク７２２から相互接続装置７１０に送られる。相互接続装置７１０はこのメッセージを変換して（７２３）、Ｈ．３２３又はＳＩＰセットアップメッセージ７２４をＩＰネットワーク７２０に転送する。ＩＰネットワーク７２６はＨ．３２３又はＳＩＰ接続メッセージ７２８を相互接続装置７１０に送信する。相互接続装置７１０はこのメッセージをＡＡＬ２接続メッセージ７３２に変換する（７３０）。解放ＡＡＬ２メッセージ７４０が相互接続装置７１０に送られる。相互接続装置７１０はこのＡＡＬ２解放メッセージをＩＰ解放メッセージ７４４に変換する（７４２）。解放ＣＭＰメッセージ７４６がＩＰネットワーク７２６から相互接続装置７１０に送られる。相互接続装置７１０は、ＩＰネットワークの解放ＣＭＰメッセージ７４２をＡＡＬ２解放ＣＭＰメッセージ７５０に変換し（７４８）、このＡＡＬ２解放ＣＭＰメッセージ７５０はその後、ＡＴＭネットワーク７２２に送られる。このシーケンスは、図１から図３に示した相互接続装置の各構成に関わらず同様である。
【００４１】
ここまで説明した本発明に係る例示的な実施形態は、例示及び説明の目的で示した。本発明をここで開示した形態そのもので網羅し、また限定することは意図していない。ここに教示する内容から、多くの改変や変形が可能である。従って、本発明の範囲は以上の詳細な説明に限られるものではなく、特許請求の範囲によって特定される。
【図１】
2010273370.tif 000003
【図２】
2010273370.tif 000004
【図３】
2010273370.tif 000005
【図４】
2010273370.tif 000006
【図５】
2010273370.tif 000007
【図６】
2010273370.tif 000008
【図７】
2010273370.tif 000009
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
第１のタイプの信号方式を用いる第１のネットワークと第２のタイプの信号方式を用いる第２のネットワークとの間に設けられ、上記第１のネットワーク及び上記第２のネットワークの間において信号方式を翻訳するインターフェースであって、上記インターフェースは、上記第１のネットワーク及び上記第２のネットワークの間で信号方式を翻訳する制御プレーンと、上記第１のタイプの信号方式から上記第２のタイプの信号方式へとユーザデータを変換するユーザプレーンとをさらに備え、
上記インターフェースにおいて、
上記制御プレーンは、上記第１のネットワークにおいて通信トランザクションを実行する際に、上記第１のネットワークにおいて上記第１のタイプの信号方式により実行するための制御パラメータを決定するように構成され、
上記制御プレーンは、上記制御プレーンが上記第１のネットワーク及び上記第２のネットワークの間で信号方式を翻訳する際に、上記第１のネットワークにおいて上記通信トランザクションを実行するための上記制御パラメータを、知識サービスマッピングを用いて上記第２のネットワーク用に翻訳するように構成され、
上記インターフェースはさらに、上記第１のネットワーク及び上記第２のネットワークの間でサービスをマッピングして、上記第１のネットワーク及び上記第２のネットワークの間で上記サービスを転送する制御プレーンを備えたインターフェース。
【請求項２】
上記第１のネットワークはＡＴＭネットワークである請求項１記載のインターフェース。
【請求項３】
上記第２のネットワークはＩＰネットワークである請求項２記載のインターフェース。
【請求項４】
上記第１のネットワークはＡＡＬ２信号方式を使用する請求項３記載のインターフェース。
【請求項５】
上記第１のタイプの信号方式はＡＡＬ２パケットであり、上記第２のタイプの信号方式はＩＰパケットである請求項１記載のインターフェース。
【請求項６】
上記第１のタイプの信号方式はＩＰパケットであり、上記第２のタイプの信号方式はＩＰパケットである請求項１記載のインターフェース。
【請求項７】
少なくとも１つのインターフェースモジュールと少なくとも１つの多重化モジュールとを備えた請求項１記載のインターフェース。
【請求項８】
上記インターフェースモジュールは、上記第１のネットワークへの接続を提供する第１のタイプのインターフェースモジュールと、上記第２のネットワークへの接続を提供する第２のタイプのインターフェースモジュールとを備えた請求項７記載のインターフェース。
【請求項９】
上記多重化モジュールは、上記第１のタイプの信号方式のパケットの多重化及び多重分離を行う第１のタイプの多重化モジュールと、上記第２のタイプの信号方式のパケットの多重化及び多重分離を行う第２のタイプの多重化モジュールとを備えた請求項８記載のインターフェース。
【請求項１０】
上記多重化モジュールは、上記第１のタイプの信号方式のパケットの多重化及び多重分離を行う第１のタイプの多重化モジュールと、上記第２のタイプの信号方式のパケットの多重化及び多重分離を行う第２のタイプの多重化モジュールとを備えた請求項７記載のインターフェース。
【請求項１１】
第１のネットワーク及び第２のネットワークの間でインターフェースをとる方法であって、上記方法は、
第１のネットワークにおいて第１のタイプの信号方式を使用することと、
第２のネットワークにおいて第２のタイプの信号方式を使用することと、
上記第１のネットワーク及び上記第２のネットワークの間で制御信号を翻訳することと、
上記第１のタイプの信号方式から上記第２のタイプの信号方式へとユーザデータを変換することと、
上記第１のネットワークにおいて通信トランザクションを実行する際に、上記第１のネットワークにおいて上記第１のタイプの信号方式により実行するための制御パラメータを決定することと、
制御プレーンが上記第１のネットワーク及び上記第２のネットワークの間で信号方式を翻訳する際に、上記第１のネットワークにおいて上記通信トランザクションを実行するための上記制御パラメータを、知識サービスマッピングを用いて上記第２のネットワーク用に翻訳することとを含み、
上記翻訳することは、上記第１のネットワーク及び上記第２のネットワークの間でサービスをマッピングすることと、上記第１のネットワーク及び上記第２のネットワークの間で上記サービスを転送することとをさらに含む方法。
【請求項１２】
上記第１のネットワークはＡＴＭネットワークである請求項１１記載の方法。
【請求項１３】
上記第２のネットワークはＩＰネットワークである請求項１２記載の方法。
【請求項１４】
上記第１のネットワークにおける第１のタイプの信号方式はＡＡＬ２信号方式を含む請求項１３記載の方法。
【請求項１５】
上記第１のタイプの信号方式はＡＡＬ２パケットであり、上記第２のタイプの信号方式はＩＰパケットである請求項１１記載の方法。
【請求項１６】
上記第１のタイプの信号方式はＩＰパケットであり、上記第２のタイプの信号方式はＩＰパケットである請求項１１記載の方法。
【請求項１７】
上記翻訳することは、上記第１のネットワーク及び上記第２のネットワークへの接続を提供することをさらに含む請求項１１記載の方法。
【請求項１８】
上記翻訳することは、上記第１のタイプの信号方式のパケットの多重化及び多重分離を行うことと、上記第２のタイプの信号方式のパケットの多重化及び多重分離を行うこととをさらに含む請求項１７記載の方法。
【請求項１９】
上記翻訳することは、上記第１のタイプの信号方式のパケットの多重化及び多重分離を行うことと、上記第２のタイプの信号方式のパケットの多重化及び多重分離を行うこととをさらに含む請求項１１記載の方法。
【請求項２０】
第１のタイプのネットワークと第２のタイプのネットワークとの間でメッセージ伝送を行う方法であって、上記方法は、
上記第１のタイプのネットワークと上記第２のタイプのネットワークとの間における相互接続装置を用いた接続をセットアップすることと、
上記第１のタイプのネットワークと上記第２のタイプのネットワークとの間における上記相互接続装置を用いた接続を解放することと、
上記第２のタイプのネットワークにおいて通信トランザクションを実行するために、上記第１のタイプのネットワークにおいて第１のタイプの信号方式により実行するための制御パラメータを決定することと、
制御プレーンが上記第１のタイプのネットワーク及び上記第２のタイプのネットワークの間で信号方式を翻訳する際に、上記第１のタイプのネットワークにおいて上記通信トランザクションを実行するための上記制御パラメータを、知識サービスマッピングを用いて上記第２のタイプのネットワーク用に翻訳することとを含み、
上記翻訳することは、上記第１のタイプのネットワーク及び上記第２のタイプのネットワークの間でサービスをマッピングすることと、上記第１のタイプのネットワーク及び上記第２のタイプのネットワークの間で上記サービスを転送することとをさらに含む方法。
【請求項２１】
上記接続をセットアップすることは、
上記第１のタイプのネットワークから上記相互接続装置へセットアップメッセージを送信することと、
上記知識サービスマッピングを用いて、上記セットアップメッセージを上記第２のタイプのネットワークの信号方式に変換することと、
上記変換したセットアップメッセージを上記第２のタイプのネットワークへ送信することと、
上記第２のタイプのネットワークから上記相互接続装置に接続メッセージを送信することと、
上記接続メッセージを上記第１のタイプのネットワークの信号方式に変換することと、
上記変換した接続メッセージを上記第１のタイプのネットワークへ送信することとをさらに含む請求項２０記載の方法。
【請求項２２】
上記接続を解放することは、
上記第１のタイプのネットワークから上記相互接続装置へ解放メッセージを送信することと、
上記知識サービスマッピングを用いて、上記解放メッセージを上記第２のタイプのネットワークの信号方式に変換することと、
上記変換した解放メッセージを上記第２のタイプのネットワークに送信することと、
上記第２のタイプのネットワークから上記相互接続装置に解放ＣＭＰメッセージを送信することと、
上記解放ＣＭＰメッセージを上記第１のタイプのネットワークの信号方式に変換することと、
上記変換した解放ＣＭＰメッセージを上記第１のタイプのネットワークへ送信することとをさらに含む請求項２１記載の方法。
【請求項２３】
上記接続を解放することは、
上記第１のタイプのネットワークから上記相互接続装置へ解放メッセージを送信することと、
上記知識サービスマッピングを用いて、上記解放メッセージを上記第２のタイプのネットワークの信号方式に変換することと、
上記変換した解放メッセージを上記第２のタイプのネットワークに送信することと、
上記第２のタイプのネットワークから上記相互接続装置に解放ＣＭＰメッセージを送信することと、
上記解放ＣＭＰメッセージを上記第１のタイプのネットワークの信号方式に変換することと、
上記変換した解放ＣＭＰメッセージを上記第１のタイプのネットワークへ送信することとをさらに含む請求項２０記載の方法。
【請求項２４】
上記第１のタイプのネットワークはＡＴＭネットワークである請求項２０記載の方法。
【請求項２５】
上記第２のタイプのネットワークはＩＰネットワークである請求項２４記載の方法。
【請求項２６】
上記第１のタイプのネットワークにおける第１のタイプの信号方式はＡＡＬ２信号方式を含む請求項２５記載の方法。
【外国語明細書】
2010273370.tif 000010
2010273370.tif 000011
2010273370.tif 000012
2010273370.tif 000013
2010273370.tif 000014
2010273370.tif 000015
2010273370.tif 000016
2010273370.tif 000017
2010273370.tif 000018
2010273370.tif 000019
2010273370.tif 000020
2010273370.tif 000021
2010273370.tif 000022
2010273370.tif 000023
2010273370.tif 000024
2010273370.tif 000025
2010273370.tif 000026
2010273370.tif 000027
2010273370.tif 000028
2010273370.tif 000029
2010273370.tif 000030
2010273370.tif 000031
2010273370.tif 000032
2010273370.tif 000033
2010273370.tif 000034
2010273370.tif 000035
2010273370.tif 000036
2010273370.tif 000037
2010273370.tif 000038
2010273370.tif 000039
2010273370.tif 000040